【手続補正書】
【提出日】平成28年4月1日(2016.4.1)
【手続補正１】
【補正対象書類名】特許請求の範囲
【補正対象項目名】全文
【補正方法】変更
【補正の内容】
【特許請求の範囲】
【請求項１】
経時的に可変の信号密度を有する信号を送信または受信することに使用するためのリソースを定義する信号パターンを取得することと、ここにおいて、前記信号は、信号バーストを定義する複数の信号を含む、
前記信号バーストの期間に対応する不連続受信（ＤＲＸ）期間をアラインすることを含む、前記信号パターンに基づいて前記リソースを構成することと、
経時的に可変の密度信号送信または受信を達成するために前記信号パターンにしたがって、前記ＤＲＸ期間とアラインされた前記信号バーストを含む、前記信号を送信または受信することと、を備え、
前記信号を送信または受信することは、前記ＤＲＸ期間とアラインされた不連続送信（ＤＴＸ）期間において前記信号を送信すること、または前記ＤＲＸ期間において前記信号を受信することをさらに備え、
前記信号を送信または受信することは、第１の密度および第１の周期性を有する第１のセットの信号を送信または受信すること、および第２の密度および第２の周期性を有する第２のセットの信号を送信または受信することをさらに備え、
前記第１の密度は、前記第２の密度よりも小さく、
前記第２のセットの信号は、前記信号バーストを備え、
前記第１の周期性は前記第２の周期性よりも、信号の存在のないより短い最大持続時間を提供する、
エネルギー効率の良いワイヤレス通信の方法。
【請求項２】
前記信号パターンを取得することは、送信パターンを取得することをさらに備え、前記信号を送信または受信することは、ユーザ機器（ＵＥ）の前記ＤＲＸ期間とアラインされた基地局の前記ＤＴＸ期間において前記送信パターンにしたがって前記信号を送信することをさらに備える、請求項１に記載の方法。
【請求項３】
複数のＵＥのための共通のＤＲＸサブフレームオフセットを設定することをさらに備え、前記ＵＥの前記ＤＲＸ期間は、前記共通のＤＲＸサブフレームオフセットに対応する、請求項２に記載の方法。
【請求項４】
サブフレームオフセットのセット内でそれぞれのＵＥ ＤＲＸ期間を有する複数のＵＥを構成することをさらに備え、前記サブフレームオフセットのセットは、全ての可能なサブフレームオフセットよりも小さく、各ＵＥ ＤＲＸ期間は、サブフレームオフセットの前記セットのうちの異なる１つに基づき、
前記送信パターンにしたがって前記信号を送信することは、前記複数のＵＥの前記それぞれのＵＥ ＤＲＸ期間とアラインされた前記基地局の前記ＤＴＸ期間において送信することをさらに備える、請求項２に記載の方法。
【請求項５】
前記送信パターンにしたがって前記信号を送信することは、
前記第１の密度を有する前記第１のセットの信号を送信することと、
前記第２の密度を有する前記第２のセットの信号を送信することと、
をさらに備える、請求項２に記載の方法。
【請求項６】
前記第１の密度および第１の周期性を有する前記第１のセットの信号を送信することは、前記ＵＥによる接続されたモード緊急検出をサポートするための前記第１の周期性にしたがって第１の同期信号を備える前記第１のセットの信号を送信することをさらに備え、前記第２の密度および第２の周期性を有する前記第２のセットの信号を送信することは、前記ＵＥによる第２の同期信号の発見をサポートするために前記第２の周期性にしたがって第２の同期信号を備える前記第２のセットの信号を送信することをさらに備える、請求項５に記載の方法。
【請求項７】
前記第１の周期性は、一定の周期性を備え、前記第２の周期性は、不規則な周期性を備える、請求項５に記載の方法。
【請求項８】
前記第１のセットの信号および前記第２のセットの信号は、同一のセットの信号または異なるセットの信号のいずれかを備える、請求項５に記載の方法。
【請求項９】
前記第１のセットの信号または前記第２のセットの信号のうちの少なくとも１つは、各密度期間内に異なる属性を有する同一のセットの信号を備える、請求項５に記載の方法。
【請求項１０】
２つ以上のそれぞれの密度期間の間、前記第１のセットの信号または前記第２のセットの信号のいずれかにおいて、前記信号を変化させることをさらに備える、請求項５に記載の方法。
【請求項１１】
前記第１の周期性および前記第２の周期性の両方にしたがって前記信号を送信することは、前記第１の周期性および前記第２の周期性の間の異なる持続期間にわたって同一の信号のセットを送信することをさらに備える、請求項５に記載の方法。
【請求項１２】
前記信号バーストに対応する前記ＵＥの前記ＤＲＸ期間を決定することと、
前記信号バーストに対応する前記ＵＥの前記ＤＲＸ期間にしたがってＵＥ ＤＲＸモードの構成を行わせるために前記ＵＥに構成メッセージを送信することと、
をさらに備える、請求項２に記載の方法。
【請求項１３】
前記信号を送信または受信することは、基準信号またはブロードキャスト信号を送信することをさらに備える、請求項１に記載の方法。
【請求項１４】
基準信号を送信することは、プライマリ同期信号（ＰＳＳ）、またはセカンダリ同期信号（ＳＳＳ）、または共通基準信号（ＣＲＳ）、またはチャネル状態情報基準信号（ＣＳＩ−ＲＳ）のうちの１つ以上を送信することをさらに備え、ブロードキャスト信号を送信することは、システム情報信号またはページング信号のうちの１つ以上を送信することを備える、請求項１３に記載の方法。
【請求項１５】
前記信号バーストを含む、前記信号パターンを識別する信号タイミングインジケータを生成することと、
前記信号タイミングインジケータを１つまたは複数のユーザ機器（ＵＥ）に送信することと、
をさらに備える、請求項１に記載の方法。
【請求項１６】
前記信号パターンを取得することは、前記信号バーストを含む受信パターンを取得することをさらに備え、
前記信号バーストに対応する前記ＵＥのＵＥ ＤＴＸ期間となるように前記ＤＴＸ期間を決定することと、
前記ＵＥ ＤＴＸ期間にしたがってＵＥ ＤＴＸモードの構成を行わせるために前記ＵＥに構成メッセージを送信することと、
をさらに備える、請求項１に記載の方法。
【請求項１７】
前記信号パターンの前記信号バーストに対応する基地局ＤＲＸ期間となるようにＤＲＸ期間を構成することをさらに備え、
前記信号を送信または受信することは、前記信号パターンにしたがって前記基地局ＤＲＸ期間において、前記信号バーストを含む、前記信号を受信することをさらに備える、請求項１６に記載の方法。
【請求項１８】
前記受信パターンを取得することは、前記第１の信号密度を有する前記第１のセットの信号および前記第２の信号密度を有する第２のセットの信号のための前記受信パターンを取得することをさらに備え、
前記ＵＥのための第１のランダムアクセスチャネル（ＲＡＣＨ）構成および第２のＲＡＣＨ構成を取得することと、ここにおいて、前記第１のＲＡＣＨ構成は前記第１の信号密度を有する前記受信パターンに対応し、前記第２のＲＡＣＨ構成は前記第２の信号密度を有する前記受信パターンに対応する、
前記第１のＲＡＣＨ構成および前記第２のＲＡＣＨ構成を前記ＵＥに送信することと
をさらに備える、請求項１６に記載の方法。
【請求項１９】
前記信号を送信または受信することは、データ信号、またはスケジューリング要求（ＳＲ）信号、またはチャネル品質インジケータ（ＣＱＩ）信号、または復調基準信号（ＤＭ−ＲＳ）、またはサウンディング基準信号（ＳＲＳ）、または物理ランダムアクセスチャネル（ＰＲＡＣＨ）信号のうちの１つまたは複数のものを受信することをさらに備える、請求項１６に記載の方法。
【請求項２０】
前記信号パターンを取得することは、基地局ＤＴＸ期間を備える前記ＤＴＸ期間の間、前記信号バーストを定義する送信パターンを取得することをさらに備え、
前記基地局ＤＴＸ期間に対応する、サブフレームオフセットのセット内の、ＵＥ信号受信パターンを含む前記ＵＥのためのＵＥウェイクアップ構成を取得することと、ここにおいて、サブフレームオフセットの前記セットは、全ての可能なサブフレームオフセットよりも小さく、前記ＵＥ信号受信パターンは、サブフレームオフセットの前記セットに基づく、
前記基地局ＤＴＸ期間にしたがってＵＥウェイクアップ期間の構成を行わせるために前記ＵＥに前記ＵＥウェイクアップ構成を送信することと
をさらに備え、前記信号を送信または受信することは、前記ＵＥウェイクアップ構成に対応する前記基地局ＤＴＸ期間における前記送信パターンにしたがって前記信号バーストを含む前記信号を送信することをさらに備える、請求項１に記載の方法。
【請求項２１】
前記信号パターンにしたがって前記信号を送信または受信することは、前記第１のセットの信号および前記第２のセットの信号を送信することをさらに備え、
前記第１のセットの信号における第１のセットの制御信号、および前記第２のセットの信号における第２のセットの制御信号を送信することをさらに備え、前記第２の信号密度の間の前記第２のセットの制御信号における制御信号の数は、前記第１の信号密度の間の前記第１のセットの制御信号における制御信号の数よりも大きい、請求項１に記載の方法。
【請求項２２】
前記信号パターンにしたがって前記信号を送信または受信することは、前記第１のセットの信号および前記第２のセットの信号を送信することをさらに備え、
ウェイクアップメッセージを送信することと、前記ウェイクアップメッセージは、前記第２の信号密度の間に送信される１つまたは複数の信号に対応するサブフレーム間ウェイクアップインジケータを備える、
をさらに備える、請求項１に記載の方法。
【請求項２３】
前記信号パターンにしたがって前記信号を送信または受信することは、ニューキャリアタイプ（ＮＣＴ）またはエクステンションキャリアを送信することをさらに備える、請求項１に記載の方法。
【請求項２４】
前記信号パターンにしたがって前記信号を送信または受信することは、基地局、またはユーザ機器（ＵＥ）、または中継器、またはフェムトノード、または遠隔無線ヘッド（ＲＲＨ）、または宅内機器（ＣＰＥ）、またはＵＥ中継器のうちの少なくとも１つによって送信または受信することをさらに備える、請求項１に記載の方法。
【請求項２５】
別のセルまたは別のキャリアのうちの少なくとも１つを用いて前記信号パターンにしたがって前記信号の前記送信または受信を協調することをさらに備える、請求項１に記載の方法。
【請求項２６】
前記信号パターンを取得することは、同期信号のセットを含む前記第１のセットの信号を取得すること、および信号バーストのセットを含む前記第２のセットの信号を取得することと、ここで、前記信号バーストのセットの各信号バーストの期間は、複数の通信デバイスの複数の不連続受信（ＤＲＸ）期間の期間とそれぞれアラインされる、
前記信号パターンに基づいて前記複数の通信デバイス間で基準信号を通信することと、
を備える、請求項１に記載の方法。
【請求項２７】
前記第２の周期性の第２の期間は、前記第１の周期性の第１の期間よりも小さい、請求項１に記載の方法。
【請求項２８】
前記第１の周期性または前記第２の周期性のうちの少なくとも１つは不規則である、請求項１に記載の方法。
【請求項２９】
エネルギー効率の良いワイヤレス通信のための、コンピュータ実行可能なコードを記憶する非一時的コンピュータ読取可能な媒体であって、
少なくとも１つのコンピュータに、経時的に可変の信号密度を有する信号を送信または受信することに使用するためのリソースを定義する信号パターンを取得させるためのコードと、前記信号は、信号バーストを定義する複数の信号を含む、
前記少なくとも１つのコンピュータに、前記信号バーストの期間に対応する不連続受信（ＤＲＸ）期間をアラインすることを含む、前記信号パターンに基づいて前記リソースを構成させるためのコードと、
前記少なくとも１つのコンピュータに、経時的に前記可変の信号密度を達成するために前記信号パターンにしたがって、前記ＤＲＸ期間とアラインされた前記信号バーストを含む、前記信号を送信または受信させるためのコードと、を含み、
前記少なくとも１つのコンピュータに、前記信号を送信または受信させるための前記コードは、前記少なくとも１つのコンピュータに、前記ＤＲＸ期間とアラインされた不連続送信（ＤＴＸ）期間において前記信号を送信させる、または前記ＤＲＸ期間において前記信号を受信させるためのコードをさらに備え、
前記信号は、第１の密度および第１の周期性を有する第１のセットの信号、および第２の密度および第２の周期性を有する第２のセットの信号備え、
前記第１の密度は、前記第２の密度よりも小さく、
前記第２のセットの信号は、前記信号バーストを備え、
前記第１の周期性は前記第２の周期性よりも、信号の存在のないより短い最大持続時間を提供する、
非一時的コンピュータ読取可能な媒体。
【請求項３０】
少なくとも１つのプロセッサと、
前記少なくとも１つのプロセッサに結合されたメモリと、を備え、
前記少なくとも１つのプロセッサは、
経時的に可変の信号密度を有する信号を送信または受信することに使用するためのリソースを定義する信号パターンを取得し、前記信号は、信号バーストを定義する複数の信号を含む、
前記信号バーストの期間に対応する不連続受信（ＤＲＸ）期間をアラインすることを含む、前記信号パターンに基づいて前記リソースを構成し、
経時的に前記可変の密度を達成するために前記信号パターンにしたがって、前記ＤＲＸ期間とアラインされた前記信号バーストを含む、前記信号を送信または受信するように構成され、
前記信号を送信または受信するように構成された前記少なくとも１つのプロセッサは、前記ＤＲＸ期間とアラインされた不連続送信（ＤＴＸ）期間において前記信号を送信する、または前記ＤＲＸ期間において前記信号を受信するように構成された前記少なくとも１つのプロセッサをさらに備え、
前記信号は、第１の密度および第１の周期性を有する第１のセットの信号、および第２の密度および第２の周期性を有する第２のセットの信号を備え、
前記第１の密度は、前記第２の密度よりも小さく、
前記第２のセットの信号は、前記信号バーストを備え、
前記第１の周期性は前記第２の周期性よりも、信号の存在のないより短い最大持続時間を提供する、
エネルギー効率の良いワイヤレス通信システムのための装置。
【請求項３１】
前記第２の周期性の第２の期間は、前記第１の周期性の第１の期間よりも小さい、請求項３０に記載の装置。
【請求項３２】
前記第１の周期性または前記第２の周期性のうちの少なくとも１つは不規則である、請求項３０に記載の装置。
【請求項３３】
前記信号を送信または受信するように構成された前記少なくとも１つのプロセッサは、前記ＵＥによる接続されたモード緊急検出をサポートするための前記第１の周期性にしたがって第１の同期信号を備える前記第１のセットの信号を送信し、前記ＵＥによる第２の同期信号の発見をサポートするために前記第２の周期性にしたがって第２の同期信号を備える前記第２のセットの信号を送信するように構成された前記少なくとも１つのプロセッサをさらに備える、請求項３０に記載の装置。
【請求項３４】
前記第１の周期性は、一定の周期性を備え、前記第２の周期性は、不規則な周期性を備える、または、前記第１のセットの信号および前記第２のセットの信号は、同一のセットの信号または異なるセットの信号のいずれかを備える、請求項３０に記載の装置。
【請求項３５】
前記信号は、基準信号またはブロードキャスト信号をさらに備える、請求項３０に記載の装置。
【請求項３６】
前記少なくとも１つのプロセッサは、
前記信号バーストに対応するＵＥ ＤＲＸ期間となるように前記ＤＲＸ期間を決定し、
前記信号バーストに対応する前記ＵＥ ＤＲＸ期間にしたがってＵＥ ＤＲＸモードの構成を行わせるために前記ＵＥに構成メッセージを送信する
ようにさらに構成される、請求項３０に記載の装置。
【請求項３７】
前記信号パターンは、前記信号バーストを含む受信パターンをさらに備え、
前記少なくとも１つのプロセッサは、
前記信号バーストに対応する前記ＵＥのＵＥ ＤＴＸ期間となるように前記ＤＴＸ期間を決定し、
前記ＵＥ ＤＴＸ期間にしたがってＵＥ ＤＴＸモードの構成を行わせるために前記ＵＥに構成メッセージを送信する
ようにさらに構成される、請求項３０に記載の装置。
【請求項３８】
前記少なくとも１つのプロセッサは、
前記ＵＥのための第１のランダムアクセスチャネル（ＲＡＣＨ）構成および第２のＲＡＣＨ構成を取得し、ここにおいて、前記第１のＲＡＣＨ構成は前記第１の信号密度を有する前記受信パターンに対応し、前記第２のＲＡＣＨ構成は前記第２の信号密度を有する前記受信パターンに対応する、
前記第１のＲＡＣＨ構成および前記第２のＲＡＣＨ構成を前記ＵＥに送信する
ようにさらに構成される、請求項３７に記載の装置。
【手続補正２】
【補正対象書類名】明細書
【補正対象項目名】０１２８
【補正方法】変更
【補正の内容】
【０１２８】
[00143]本開示の先の説明は、本開示を製造または使用することをいずれの当業者にも可能にさせるために提供されている。本開示に対するさまざまな変更は、当業者に容易に理解され、本明細書において定義された一般的な原理は、本開示の精神または範囲から逸脱することなく、他の変形例に適用されることができる。したがって、本開示は、本明細書において説明された例および設計に限定されることは意図せず、本明細書に開示された原理および新規な特徴と一致する最も広い範囲が付与されるべきである。
以下に、本願出願の当初の特許請求の範囲に記載された発明を付記する。
［Ｃ１］
経時的に可変の信号密度を有する信号を送信または受信することに使用するためのリソースを定義する信号パターンを取得することと、ここにおいて、前記信号は、信号バーストを定義する複数の信号を含む、
不連続受信（ＤＲＸ）期間を前記信号バーストとアラインすることを含む、前記信号パターンに基づいて前記リソースを構成することと、
経時的に可変の密度信号送信または受信を達成するために前記信号パターンにしたがって、前記ＤＲＸ期間とアラインされた前記信号バーストを含む、前記信号を送信または受信することと、を備える、エネルギー効率の良いワイヤレス通信の方法。
［Ｃ２］
前記信号パターンを取得することは、送信パターンを取得することをさらに備え、前記信号を送信または受信することは、ユーザ機器（ＵＥ）のＵＥ ＤＲＸ期間とアラインされた不連続送信（ＤＴＸ）期間において前記送信パターンにしたがって前記信号を送信することをさらに備える、Ｃ１に記載の方法。
［Ｃ３］
複数のＵＥのための共通のＤＲＸサブフレームオフセットを設定することをさらに備え、前記ＵＥ ＤＲＸ期間は、前記共通のＤＲＸサブフレームオフセットに対応する、Ｃ２に記載の方法。
［Ｃ４］
サブフレームオフセットのセット内でそれぞれのＵＥ ＤＲＸ期間を有する複数のＵＥを構成することをさらに備え、前記サブフレームオフセットのセットは、全ての可能なサブフレームオフセットよりも小さく、前記ＵＥ ＤＲＸ期間は、サブフレームオフセットの前記セットに基づく、Ｃ２に記載の方法。
［Ｃ５］
前記送信パターンにしたがって前記信号を送信することは、
第１の密度を有する第１のセットの信号を送信することと、
第２の密度を有する第２のセットの信号を送信することと、をさらに備え、前記第１の密度は、前記第２の密度よりも小さく、前記第２のセットの信号は、前記信号バーストを備える、Ｃ２に記載の方法。
［Ｃ６］
前記第１の密度を有する前記第１のセットの信号を送信することは、第１の周期性を用いて送信することをさらに備え、前記第２の密度を有する前記第２のセットの信号を送信することは、第２の周期性を用いて送信することをさらに備え、前記第１の周期性は前記第２の周期性よりも、信号の存在のないより短い最大持続時間を提供する、Ｃ５に記載の方法。
［Ｃ７］
前記第１の密度を有する前記第１のセットの信号を送信することは、前記ＵＥによる接続されたモード緊急検出をサポートするための前記第１の周期性にしたがって第１の同期信号を備える前記第１のセットの信号を送信することをさらに備え、前記第２の密度を有する前記第２のセットの信号を送信することは、前記ＵＥによる第２の同期信号の発見をサポートするために前記第２の周期性にしたがって前記第２の同期信号を備える前記第２のセットの信号を送信することをさらに備える、Ｃ６に記載の方法。
［Ｃ８］
前記第１の周期性は、一定の周期性を備え、前記第２の周期性は、不規則な周期性を備える、Ｃ６に記載の方法。
［Ｃ９］
前記第１のセットの信号および前記第２のセットの信号は、同一のセットの信号または異なるセットの信号のいずれかを備える、Ｃ５に記載の方法。
［Ｃ１０］
前記第１のセットの信号および前記第２のセットの信号のうちの少なくとも１つは、各密度期間内に異なる属性を有する同一のセットの信号を備える、Ｃ５に記載の方法。
［Ｃ１１］
２つ以上のそれぞれの密度期間の間、前記第１のセットの信号または前記第２のセットの信号のいずれかにおいて、前記信号を変化させることをさらに備える、Ｃ５に記載の方法。
［Ｃ１２］
前記第１の周期性および前記第２の周期性の両方にしたがって前記信号を送信することは、前記第１の周期性および前記第２の周期性の間の異なる持続期間にわたって同一の信号のセットを送信することをさらに備える、Ｃ６に記載の方法。
［Ｃ１３］
前記信号を送信または受信することは、基準信号またはブロードキャスト信号を送信することをさらに備える、Ｃ１に記載の方法。
［Ｃ１４］
基準信号を送信することは、プライマリ同期信号（ＰＳＳ）、セカンダリ同期信号（ＳＳＳ）、共通基準信号（ＣＲＳ）、およびチャネル状態情報基準信号（ＣＳＩ−ＲＳ）のうちの１つ以上を送信することをさらに備え、ブロードキャスト信号を送信することは、システム情報信号およびページング信号のうちの１つ以上を送信することを備える、Ｃ１３に記載の方法。
［Ｃ１５］
前記信号バーストに対応する前記ＵＥ ＤＲＸ期間を決定することと、
前記信号バーストに対応する前記ＵＥ ＤＲＸ期間にしたがってＵＥ ＤＲＸモードの構成を行わせるために前記ＵＥに構成メッセージを送信することと、をさらに備える、Ｃ２に記載の方法。
［Ｃ１６］
前記信号バーストを含む、前記信号パターンを識別する信号タイミングインジケータを生成することと、
前記信号タイミングインジケータを１つまたは複数のユーザ機器（ＵＥ）に送信することと、をさらに備える、Ｃ１に記載の方法。
［Ｃ１７］
前記信号パターンを取得することは、前記信号バーストを含む受信パターンを取得することをさらに備え、
前記信号バーストに対応するユーザ機器（ＵＥ）のＵＥ不連続送信（ＤＴＸ）期間を決定することと、
前記ＵＥ ＤＴＸ期間にしたがってＵＥ ＤＴＸモードの構成を行わせるために前記ＵＥに構成メッセージを送信することと、をさらに備える、Ｃ１に記載の方法。
［Ｃ１８］
前記信号パターンの前記信号バーストに対応する基地局ＤＲＸ期間を構成することをさらに備え、
前記信号を送信または受信することは、前記信号パターンにしたがって前記基地局ＤＲＸ期間において、前記信号バーストを含む、前記信号を受信することをさらに備える、Ｃ１７に記載の方法。
［Ｃ１９］
前記受信パターンを取得することは、第１の信号密度を有する第１のセットの信号および第２の信号密度を有する第２のセットの信号のための前記受信パターンを取得することをさらに備え、前記第１の信号密度は前記第２の信号密度よりも信号の存在のないより短い最大持続時間を提供する、
前記ＵＥのための第１のランダムアクセスチャネル（ＲＡＣＨ）構成および第２のＲＡＣＨ構成を取得することと、ここにおいて、前記第１のＲＡＣＨ構成は前記第１の信号密度を有する前記受信パターンに対応し、前記第２のＲＡＣＨ構成は前記第２の信号密度を有する前記受信パターンに対応する、
前記第１のＲＡＣＨ構成および前記第２のＲＡＣＨ構成を前記ＵＥに送信することとをさらに備える、Ｃ１７に記載の方法。
［Ｃ２０］
前記信号を受信することは、データ信号、スケジューリング要求（ＳＲ）信号、チャネル品質インジケータ（ＣＱＩ）信号、復調基準信号（ＤＭ−ＲＳ）、サウンディング基準信号（ＳＲＳ）、および物理ランダムアクセスチャネル（ＰＲＡＣＨ）信号のうちの１つまたは複数のものを受信することをさらに備える、Ｃ１７に記載の方法。
［Ｃ２１］
前記信号パターンを取得することは、基地局不連続送信（ＤＴＸ）期間の間、前記信号バーストを定義する送信パターンを取得することをさらに備え、
前記基地局ＤＴＸ期間に対応する、サブセットオフセットのセット内の、ユーザ機器（ＵＥ）信号受信パターンを含むＵＥのためのＵＥウェイクアップ構成を取得することと、ここにおいて、サブフレームオフセットの前記セットは、全ての可能なサブフレームオフセットよりも小さく、前記ＵＥ信号受信パターンは、サブフレームオフセットの前記セットに基づく、
前記基地局ＤＴＸ期間にしたがってＵＥウェイクアップ期間の構成を行わせるために前記ＵＥに前記ＵＥウェイクアップ構成を送信することと
をさらに備え、前記信号を送信または受信することは、前記ＵＥウェイクアップ構成に対応する前記基地局ＤＴＸ期間における前記送信パターンにしたがって前記信号バーストを含む前記信号を送信することをさらに備える、Ｃ１に記載の方法。
［Ｃ２２］
前記信号パターンにしたがって前記信号を送信することは、第１の信号密度を有する第１のセットの信号および第２の信号密度を有する第２のセットの信号を送信することをさらに備え、前記第１の信号密度は、前記第２の信号密度よりも信号の存在のないより短い最大持続時間を提供する、
前記第１のセットの信号における第１のセットの制御信号、および前記第２のセットの信号における第２のセットの制御信号を送信することをさらに備え、前記第２の信号密度の間の前記第２のセットの制御信号における制御信号の数は、前記第１の信号密度の間の前記第１のセットの制御信号における制御信号の数よりも大きい、Ｃ１に記載の方法。
［Ｃ２３］
前記信号パターンにしたがって前記信号を送信することは、第１の信号密度を有する第１のセットの信号および第２の信号密度を有する第２のセットの信号を送信することをさらに備え、前記第１の信号密度は、前記第２の信号密度よりも信号の存在のないより短い最大持続時間を提供する、
ウェイクアップメッセージを送信することと、前記ウェイクアップメッセージは、前記第２の信号密度の間に送信される１つまたは複数の信号に対応するサブフレーム間ウェイクアップインジケータを備える、をさらに備える、Ｃ１に記載の方法。
［Ｃ２４］
前記信号パターンにしたがって前記信号を送信または受信することは、ニューキャリアタイプ（ＮＣＴ）またはエクステンションキャリアを送信することをさらに備える、Ｃ１に記載の方法。
［Ｃ２５］
前記信号パターンにしたがって前記信号を送信または受信することは、基地局、ユーザ機器（ＵＥ）、中継器、フェムトノード、遠隔無線ヘッド（ＲＲＨ）、宅内機器（ＣＰＥ）、およびＵＥ中継器のうちの少なくとも１つによって送信または受信することをさらに備える、Ｃ１に記載の方法。
［Ｃ２６］
別のセルおよび別のキャリアのうちの少なくとも１つを用いて前記信号パターンにしたがって前記信号の前記送信または受信を協調することをさらに備える、Ｃ１に記載の方法。
［Ｃ２７］
少なくとも１つのコンピュータに、経時的に可変の信号密度を用いて信号を送信または受信することに使用するためのリソースを定義する信号パターンを取得させるためのコードと、前記信号は、不連続受信（ＤＲＸ）期間とアラインされた信号バーストを定義する複数の信号を含む、
前記少なくとも１つのコンピュータに、前記信号パターンに基づいて前記リソースを構成させるためのコードと、
前記少なくとも１つのコンピュータに、経時的に前記可変の信号密度を達成するために前記信号パターンにしたがって、前記ＤＲＸ期間とアラインされた前記信号バーストを含む、前記信号を送信または受信させるためのコードと、を含むコンピュータ読取可能な媒体を備える、エネルギー効率の良いワイヤレス通信のためのコンピュータプログラム製品。
［Ｃ２８］
経時的に可変の信号密度を用いて信号を送信または受信することに使用するためのリソースを定義する信号パターンを取得するための手段と、前記信号は、不連続受信（ＤＲＸ）期間とアラインされた信号バーストを定義する複数の信号を含む、
前記信号パターンに基づいて前記リソースを構成する手段と、
経時的に前記可変の信号密度を達成するために前記信号パターンにしたがって、前記ＤＲＸ期間とアラインされた前記信号バーストを含む、前記信号を送信または受信する手段と、を備える、エネルギー効率の良いワイヤレス通信のための装置。
［Ｃ２９］
少なくとも１つのプロセッサと、
前記少なくとも１つのプロセッサに結合されたメモリと、を備え、
前記少なくとも１つのプロセッサは、
経時的に可変の信号密度を用いて信号を送信または受信することに使用するためのリソースを定義する信号パターンを取得し、前記信号は、不連続受信（ＤＲＸ）期間とアラインされた信号バーストを定義する複数の信号を含む、
前記信号パターンに基づいて前記リソースを構成し、
経時的に前記可変の密度を達成するために前記信号パターンにしたがって、前記ＤＲＸ期間とアラインされた前記信号バーストを含む、前記信号を送信または受信するように構成される、エネルギー効率の良いワイヤレス通信システムのための装置。
［Ｃ３０］
第１の密度および第１の周期性を有する第１のセットの信号、および前記第１の密度とは異なる第２の密度および前記第１の周期性とは異なる第２の周期性を有する第２のセットの信号を定義する信号パターンを取得することと、
前記信号パターンに基づいて複数の通信デバイス間で基準信号を通信することと、を備える、前記複数の通信デバイス間のエネルギー効率の良いワイヤレス通信の方法。
［Ｃ３１］
前記信号パターンは、前記複数の通信デバイスの複数のアラインされた不連続受信（ＤＲＸ）または不連続送信（ＤＴＸ）期間に対応する信号バーストを定義する、Ｃ３０に記載の方法。
［Ｃ３２］
前記第２の密度は前記第１の密度よりも大きく、
前記第２の周期性の第２の期間は、前記第１の周期性の第１の期間よりも小さい、Ｃ３０に記載の方法。
［Ｃ３３］
前記第１の周期性または前記第２の周期性のうちの少なくとも１つは不規則である、Ｃ３０に記載の方法。
［Ｃ３４］
第１の密度および第１の周期性を有する第１のセットの信号、および前記第１の密度とは異なる第２の密度および前記第１の周期性とは異なる第２の周期性を有する第２のセットの信号を定義する信号パターンを取得するためのコードと、
前記信号パターンに基づいて前記複数の通信デバイス間で基準信号を通信するためのコードと、を含む、コンピュータ読取可能な媒体を備える、エネルギー効率の良いワイヤレス通信のためのコンピュータプログラム製品。
［Ｃ３５］
第１の密度および第１の周期性を有する第１のセットの信号、および前記第１の密度とは異なる第２の密度および前記第１の周期性とは異なる第２の周期性を有する第２のセットの信号を定義する信号パターンを取得するための手段と、
前記信号パターンに基づいて前記複数の通信デバイス間で基準信号を通信するための手段と、を備える、エネルギー効率の良いワイヤレス通信のための装置。
［Ｃ３６］
少なくとも１つのプロセッサと、
前記少なくとも１つのプロセッサに結合されたメモリと、を備え、
前記少なくとも１つのプロセッサは、
第１の密度および第１の周期性を有する第１のセットの信号、および前記第１の密度とは異なる第２の密度および前記第１の周期性とは異なる第２の周期性を有する第２のセットの信号を定義する信号パターンを取得し、
前記信号パターンに基づいて前記複数の通信デバイス間で基準信号を通信するように構成される、エネルギー効率の良いワイヤレス通信のための装置。
［Ｃ３７］
前記信号パターンは、前記複数の通信デバイスの複数のアラインされた不連続受信（ＤＲＸ）または不連続送信（ＤＴＸ）期間に対応する信号バーストを定義する、Ｃ３６に記載の装置。
［Ｃ３８］
前記第２の密度は前記第１の密度よりも大きく、
前記第２の周期性の第２の期間は、前記第１の周期性の第１の期間よりも小さい、Ｃ３６に記載の装置。
［Ｃ３９］
前記第１の周期性または前記第２の周期性のうちの少なくとも１つは不規則である、Ｃ３６に記載の装置。